(57)【要約】【解決手段】  ＵＶジェルのマニキュアを指の爪に施す方法と、ＵＶジェルの指の爪のエクステンションを成す方法である。最初に、乾いたネイルエナメルで作製されたネイル用アップリケを指の爪に付ける。次に、ネイル用アップリケの上面に、ＵＶジェルを塗って、ＵＶランプで硬化する。その結果、ＵＶマニキュアは、従来のＵＶマニキュアよりも速く付けられて、爪にとっても健康的である。指の爪から突き出るようにアップリケを付けて、アップリケの上にＵＶゲルを塗布して、硬化することによって、ＵＶネイルエクステンションが成される。【選択図】図１
2013541403.tif 000002
【特許請求の範囲】
【請求項１】
指の爪を装飾する方法において、
前記指の爪に、ネイルエナメルを含む乾いたネイル用アップリケを付ける工程と、
前記ネイル用アップリケの余分な部分を取り除く工程と、
前記乾いたネイル用アップリケ上にＵＶジェルを施す工程と、
ＵＶライトを用いて、前記ＵＶジェルを硬化する工程と、
を含んでおり、前記ＵＶジェルは、硬化すると透明又は半透明となる方法。
【請求項２】
前記ネイル用アップリケは、不完全に硬化したネイルエナメルを含む、請求項１に記載の方法。
【請求項３】
前記ＵＶ層及びアップリケ層の先端を、せん断器によってせん断する工程を更に含む、請求項１に記載の方法。
【請求項４】
前記ネイル用アップリケは、前記指の爪と略同一平面にて、前記指の爪の先端を超えて延出し、前記ＵＶジェルは、前記指の爪に付されて、そこから延出している前記ネイル用アップリケのほぼ全面に塗布される、請求項１に記載の方法。
【請求項５】
前記ネイル用アップリケと前記ＵＶジェル層の先端とを、せん断器によってせん断する工程、を更に含む請求項４に記載の方法。
【請求項６】
指の爪にフランス式マニキュアのネイルエクステンションを施す方法において、
ネイルエナメルを含むネイル用アップリケを前記指の爪に施す工程と、
前記ネイル用アップリケの上にネイル先端用アップリケを付ける工程であって、前記ネイル先端用アップリケは曲がった端部を有しており、前記曲がった端部は、前記指の爪の先端にほぼ一致する形状を有しており、前記曲がった端部が前記指の爪の先端に付けられて、前記ネイル先端用アップリケの残部は、前記指の爪の先端を超えて延出する工程と、
前記ネイル用アップリケと前記ネイル先端用アップリケの上にＵＶジェルを塗布する工程と、
前記ＵＶジェルをＵＶライトで硬化する工程と、
を含んでおり、前記ＵＶジェルは、硬化すると透明又は半透明になる方法。
【請求項７】
前記ネイル用アップリケは第１の色であり、前記ネイル先端用アップリケは第２の色である、請求項６に記載の方法。
【請求項８】
前記ネイル用アップリケと前記ネイル先端用アップリケとは、不完全に硬化したネイルエナメルを含む、請求項６に記載の方法。
【請求項９】
前記アップリケ層及び前記ＵＶ層の先端を、せん断器でせん断する工程を更に含む、請求項６に記載の方法。
【請求項１０】
指の爪にフランス式マニキュアのネイルエクステンションを施す方法において、
前記ネイル用アップリケの上にネイル先端用アップリケを付ける工程であって、前記ネイル先端用アップリケは曲がった端部を有しており、前記曲がった端部は、前記指の爪の先端にほぼ一致する形状を有しており、前記曲がった端部が前記指の爪の先端に付けられて、前記ネイル先端用アップリケの残部は、前記指の爪の先端を超えて延出する工程と、
前記ネイル用アップリケと前記ネイル先端用アップリケの上にＵＶジェルを塗布する工程と、
前記ＵＶジェルをＵＶライトで硬化する工程と、
を含んでおり、前記ＵＶジェルは、硬化すると透明又は半透明になる方法。
【発明の詳細な説明】
【技術分野】
【０００１】
＜関連出願の参照＞
本願は、２０１０年１１月２日に出願された米国仮特許出願第６１／４０９，３３１号の利益を主張し、引用を以って、それらの全てが本願明細書に組み込まれるものとする。
【０００２】
＜技術分野＞
本発明は、ネイル装飾(nail  adornment)の分野に関しており、より詳細には、指の爪にＵＶジェルを塗布する新規な方法に関する。
【背景技術】
【０００３】
指の爪にＵＶジェルを塗布することは、通常のネイルエナメル(nail  enamel)の代わりに、指の爪を装飾するために普及してきた方法である。この方法では、サロンの技術者は、ＵＶジェルの層を指の爪の上に広げて、その後、ジェルを硬化させるＵＶライトの下に指をセットする。通常、幾つかのジェル層が必要とされている。例えば、ＵＶジェルの下地の次に、顔料含有ＵＶジェルを被覆することが続き、そして、その後、１又は複数のシーリング(sealing)ＵＶジェルコートが施される。各層は、技術者によって、個別に塗られなければならず、更なるコートが施される前に、ＵＶライトの下で完全に硬化させなければならない。この方法は、非常に時間を要し、負担もかかる。材料の費用に加えて、必要とされる技術者の時間が、この方法を非常に高額なものとしている。実際、典型的なＵＶジェル塗布には、１時間以上かかり、ときには、それを超える時間がかかることがある。ネイルエクステンションが求められている場合には、その方法は、さらに多くの作業及び技術を必要とするので、時間と費用がかさむことになる。
【０００４】
ＵＶ塗布に関連した時間と費用に加え、健康へのリスクの可能性がさらに存在する。塗布には、ＵＶ波に繰り返し曝されることが必要とされ、指の爪に付いたジェルが硬化して、爪にダメージを与えて、弱らせることがある。さらに、ＵＶジェルが、一旦、指の爪で硬化されると、取り除くのは非常に困難である。通常、従来の除光液(nail  polish  remover)が働かないので、層をやすりで落とされるか、人の爪と共に延ばされる。
【発明の概要】
【０００５】
本発明は、指の爪にＵＶジェルを塗布するための新規なシステム及び方法に関しており、塗布時間を大幅に短くして、着用者へのＵＶ露出を大幅に減らす。さらに、ＵＶジェルは、着用者の指の爪に直接接触する事はない。
【０００６】
本発明の方法では、乾いたネイルエナメルのアップリケ(applique)が、最初に、着用者の指の爪に付されて、下地として働く。その後、ＵＶジェル層が、そのアップリケ上に塗られて、ＵＶライトで硬化される。アップリケは、半硬化状のネイルエナメルと、それを爪に付着するための接着裏塗りとを備える。ネイル用アップリケは、着色されたネイルエナメルの滑らかな層と、その上面に塗られた硬化ＵＶジェル層とを提供し、架橋(cross-linking)と、滑らかでガラス状の仕上がりとを、塗布されたＵＶジェルにもたらす。
【０００７】
本発明の実施形態は、塗布時間を低減し、ＵＶ露出を大幅に低減して、美しいＵＶジェルマニキュアを達成するだけではなく、ネイル用アップリケを、着用者の爪に直接接触するようにしたため、ＵＶジェルは、着用者の指の爪に直接接触しない。その代わりに、ＵＶジェルが、ネイル用アップリケの上面で硬化する。これは、爪にとって健康的であるだけでなく、従来の除光液を用いたジェルよりも効率的な除去をもたらす。
【０００８】
さらに、本発明によって、ネイルエクステンションが効率的に達成される。本発明の実施形態では、十分に硬い乾いたネイル用アップリケが、アップリケの一部分が指先の先端を超えて延びるように、指の爪に付される。次に、アップリケが付された状態で、ＵＶジェルが、その上面に塗布されて、硬化される。ＵＶジェルが硬化された後、着用者の指先(延出部分)を超えて延びる硬化したネイルエナメル／ＵＶジェル面が存在する。延出部分は、爪切り又は他のせん断器(shearing  device)を用いて整えられ、形作られることができる。
【０００９】
米国特許出願公開第２００９／０２３３０３１号は、エナメル層と、エナメル層の上面に付された予め硬化されたＵＶ層を備えるネイル用アップリケとを開示している。しかしながら、本発明は、より耐久性があり、利用者がカスタマイズすることができ、後述するようなネイルエクステンションを可能にする。
【図面の簡単な説明】
【００１０】
【図１】図１は、本発明の一実施形態に従った、指の爪の上面のネイルエナメルアップリケとＵＶジェル層とを示す側方概略図である。
【図２】図２は、本発明の一実施形態に従った、ネイルエクステンションを付けることに関連した様々な工程を示している、指の爪の幾つかの平面図を示す。
【図３】図３は、本発明の一実施形態に従った、指の爪のエクステンションの側方概略図を示す。
【図４】図４は、本発明の一実施形態に従った、フランス式のネイルエクステンションを付けることに関連した様々な工程を示している、指の爪の幾つかの平面図を示す。
【図５】図５は、図４のネイル塗布の側方概略図である。
【図６】図６は、本発明の一実施形態に従った、指の爪から延びたネイル先端用アップリケと、その上面に付されたＵＶジェル層との側方概略図である。
【発明を実施するための形態】
【００１１】
以下は、本発明の好ましい実施形態の詳細な説明である。添付の図面において、同じ参照番号は、幾つかの図面の各々において、構造が同じ構成要素を示している。これらの図面は、実際には、単に例示のためのものであって、特許請求の範囲によって規定される本発明の範囲を制限するためには用いられない点に留意すべきである。
【００１２】
既に説明したように、ＵＶジェルを塗布する現在の態様では、最低でも３枚のジェル層を必要としている。各層について、ジェルを注意深く塗布することと、ＵＶライトの下で硬化させる時間とを必要とする。本発明においては、１つのＵＶ層のみが、同様な効果を達成するために必要とされる。
【００１３】
図１に模式的に示すように、最初に、乾いたネイル用アップリケ(12)を含む下層が、指の爪(10)に付着される。
【００１４】
ネイル用アップリケは、所望の色の爪のマニキュア(nail  polish)を提供するが、さらに、爪の上に滑らかな上張りを提供することで、爪がＵＶジェルを受ける準備をする。ネイル用アップリケは、爪と直接接触し、爪の上部とＵＶジェル層との間で緩衝材として働く。
【００１５】
アップリケが指の爪にしっかりと付けられると、ＵＶジェルの層(14)が、その上面に塗られて、約２分間、或いは、満足な硬化が得られるために必要な間、ＵＶライトで硬化される。硬化されると、ＵＶとネイルエナメルとが融合して、美しいＵＶジェルのネイルマニキュアを形成する。架橋可能な(cross-linkable)任意のポリマーが、ネイル用アップリケの上に塗布されてよいことは、当業者に理解されるであろう。さらに、このような架橋可能なポリマーの硬化は、ＵＶランプ、又は熱エネルギーの任意の適切な光源を用いてなされてよい。
【００１６】
下層として用いられるネイル用アップリケは、好ましくは、ほぼ指の爪の形状に合うように切断された本物のネイルエナメルよりなることが好ましい。ネイル用アップリケは、接着性の底面を有し、それはネイル用アップリケの底面を、指の爪の上面に接着するようにしている。ネイル用アップリケを指の爪に付けた後で、アップリケの余分な部分が、指の爪又はせん断器を用いて切り取られる。
【００１７】
ネイル用アップリケの重要な特徴として、製造される際に、それがプラスチックパッケージ内に封止される前に、完全に乾燥されないということがある。従って、それがユーザの指の爪に付された後、最終的な硬化工程は、指の爪で起こる。このように、ネイル用アップリケは、従来のブラッシュオンマニキュア(blush-on  nail  polish)のように作用する。即ち、固形で付されるだけである。本発明の実施の形態において、ネイル用アップリケは、好ましくは、米国特許出願第１１／１２６，８６２号又は米国特許第４，９０３，８４０号に記載されているアップリケと同様のものがよく、これらは、引用を以って、本願明細書に組み込まれる。
【００１８】
従来のマニキュアは、素早く塗布される利点があり、ＵＶへ曝すことを必要とせず、指の爪への健康リスクを引き起こさない。一方、ＵＶジェルマニキュアは、従来のマニキュアに対してより魅力的な外観を有しており、より耐久性がある。本発明は、基本的に、両方の世界の一番よい部分を達成するものであり、着けるための時間を低減し、ＵＶへの暴露をできるだけ短くして、美しくて耐久性のあるＵＶジェルマニキュアを得ることを達成した。さらに、ＵＶジェルは、下にある指の爪に直接接触することはない。
【００１９】
さらにまた、本発明の実施形態においては、指の爪のエクステンションについても、迅速で効果的な取り付けが同様に可能である。現状の技術では、ＵＶ技術を用いて指の爪にエクステンションを付けることは、かなりの時間、材料及び専門知識を必要とする極めて困難な方法である。ネイルエクステンションを達成するために、材料の細長い片が爪の下側に挿入されて、ＵＶジェルを受ける基板として作用する。ＵＶジェルが塗布されて、硬化すると、層は、大抵の場合、自然の爪とエクステンション部分の間で円滑な移行を確保するために、研磨又は他の調整を必要とする。このようなエクステンションは、幾つかのコートを必要とし、高ＵＶの露出は、かなりの時間と技術とを必要として、非常に高額である。ＵＶジェルエクステンションに代わるものとして、ユーザは、プラスチックのネイルを指に貼り付けることが多い。硬いプラスチックは、指の爪の自然な形状に容易に適合しない。加えて、それは、指の爪に接着されなければならず、それは、不健康であり、且つ、取り除くのは困難である。
【００２０】
本発明の実施形態では、ネイルエクステンションは、素早く効率的に、ＵＶ暴露ができるだけ少ないように提供される。図２は、本発明の一実施例によってエクステンションを適用する方法を示している。装飾が施されていない指の爪(ステップＡ)から始めて、着用者又は技術者が指の爪にネイルエナメルアップリケ(12)を付けて、アップリケの一部を爪の先端の縁から突出したままにしておく(ステップＢ)。突出したアップリケの長さは、数センチメートルから３／４インチ又はより大きくされてよい。爪にしっかりと貼り付けられるまで、アップリケは爪に押圧される。ネイル用アップリケ(12)は、ネイルの先端を超えて延びたまま、指の爪と略同一の平面上に存在するほど十分に硬い(ステップＢに示す)。その後、ネイル用アップリケの上面全体に、ＵＶジェル(14)が塗布される(ステップＣ)。爪は、目下、その爪を覆っており、爪から延出するアップリケ(12)と、(模式的に図４に示された)その上に支持されたＵＶジェル(14)とを備えており、ＵＶライト下に挿入されて、硬化される。十分に硬化して「ガラス状の(glassy)」仕上げが得られた後で、ネイル用アップリケ(及びＵＶ層)の延びた部分は、爪切り、又は同様なせん断器を用いて、所望の長さ及び形状に切られることが好ましい(ステップＤ)。ＵＶジェルは、硬化すると透明又は半透明となり、下にあるネイル用アップリケは、硬化したＵＶジェル層から透けて見える(ステップＤに示す)。これは、技術者又は着用者に、様々なアップリケスタイルを選択する自由度を、又はＵＶジェル層の表面と組み合わせて用いられる様々なデザインを提供する。
【００２１】
図３は、上述したネイル先端のエクステンションの概略図を示す。図示されているように、乾いたエナメルのネイル用アップリケ(12)は、指の爪の先端を超えて延びるように爪に付けられる。ＵＶジェル(14)の層は、アップリケ上に配置される。ＵＶジェル(14)が硬化すると、それが塗布されたアップリケに固定される。
【００２２】
本発明の他の実施の形態では、フランス式のネイルエクステンションが提供される。図４に示すように、装飾が施されていない指の爪から始めて(ステップＥ)、第１の色(例えば、ピンク)のネイルエナメルアップリケ(12)が、指の爪全体に貼り付けられて、それにしっかりと接着される(ステップＦ)。次に、第２の色(例えば、白)の第２の先端用アップリケ(16)が、爪の先端に付けられる(ステップＧ)。先端用アップリケ(16)の端部(18)は、丸く又は曲がっており、貼り付けられると、端部(18)は、爪の先端の輪郭を粗くたどる。先端用アップリケ(16)は、十分に硬く、指の爪に付けられると、そこに固定されて、その長さのままで、(ステップＧに示すように)爪の表面と略同じ平面内にて突出する。その後、ＵＶジェルが、ネイル用アップリケ(12)の上面に塗られて、ネイル用アップリケ(12)と、突出して先端用アップリケ(16)の両方を覆う(ステップＨ)。次に、爪がＵＶライトの下に挿入されて、硬化される。十分に硬化して「ガラス状の」仕上げが得られた後で、ネイル用アップリケ(及びＵＶ層)の延出部分が、爪切り又は同様なせん断器を用いて、所望の長さと形状に切られることが好ましい(ステップＩ)。既に説明したように、透明又は半透明で硬化されたＵＶ層により下のアップリケを見ることができる。その方法では、第１の色(例えば、ピンク)を有する爪と、第２の色(例えば、白)を有する延出する先端部とで、フランス式マニキュアを得ることができる。
【００２３】
図５は、既に説明したフランス式の先端エクステンションの概略図を示す。指の爪全体を略カバーする底部アップリケ(12)が示されている。第２のネイル先端用アップリケ(16)が、爪の先端に施されて、爪の先端から延びる。最後に、ＵＶジェル層(14)が、ネイル用アップリケ(12)とネイル先端用アップリケ(16)の上に施される。ネイル用アップリケ(12)の部分(12a)とネイル先端用アップリケ(16)の部分(16a)とは、ハンドリング用のつまみであり、それは、好ましくは部分的な切り込みやミシン目といった方法で、アップリケの本体部分から分離される。
【００２４】
図６は、本発明の他の実施形態の概略図を示しており、ネイル先端用アップリケ(16)が指の爪(10)に直接付けられて、そこから延出している。ＵＶ層(14)は、人の爪と、ネイル用アップリケの上に塗布される。
【００２５】
上述したように、様々な上面コートが、ＵＶ層の上部に施されてよいことは、これらの分野の当業者により理解されるであろう。上面コートは、透明な、及び／又は、半透明なＵＶ又はエナメルコート、又はそれらの組合せを含む。
【００２６】
特定の実施例に関する本発明を記載してきたが、それらの記載は、限定を目的とするものではなく、更なる改良や変形が当業者には明らか又は示唆される。本願は、添付した特許請求の範囲内にそのような改良と変形の全てを含むものである。
【図１】
2013541403.tif 000003
【図２】
2013541403.tif 000004
【図３】
2013541403.tif 000005
【図４】
2013541403.tif 000006
【図５】
2013541403.tif 000007
【図６】
2013541403.tif 000008
【手続補正書】
【提出日】平成25年7月3日(2013.7.3)
【手続補正１】
【補正対象書類名】明細書
【補正対象項目名】００１６
【補正方法】変更
【補正の内容】
【００１６】
下層として用いられるネイル用アップリケは、好ましくは、ほぼ指の爪の形状に合うように切断された本物のネイルエナメルから作られることが好ましい。ネイル用アップリケは、接着性の底面を有し、それはネイル用アップリケの底面を、指の爪の上面に接着するようにしている。ネイル用アップリケを指の爪に付けた後で、アップリケの余分な部分が、指の爪又はせん断器を用いて切り取られる。
【手続補正２】
【補正対象書類名】明細書
【補正対象項目名】００１７
【補正方法】変更
【補正の内容】
【００１７】
ネイル用アップリケの重要な特徴として、製造される際に、それがプラスチックパッケージ内に封止される前に、完全に乾燥されないということがある。従って、それがユーザの指の爪に付された後、最終的な硬化工程は、指の爪で起こる。このように、ネイル用アップリケは、従来のブラッシュオンマニキュア(blush-on  nail  polish)のように作用する。即ち、固形で付されるだけである。本発明の実施の形態において、ネイル用アップリケは、好ましくは、米国特許出願第１１／１２６，８６２号又は米国特許第４，９０３，８４０号に記載されているアップリケと同様のものがよく、これらは、引用を以って、本願明細書に組み込まれる。ネイル用アップリケは、接着層の上に、部分的に硬化された複数のネイルエナメル層を含んでよい。
【手続補正３】
【補正対象書類名】特許請求の範囲
【補正対象項目名】全文
【補正方法】変更
【補正の内容】
【特許請求の範囲】
【請求項１】
爪を装飾する方法において、
前記爪に、不完全に乾いたネイルエナメルを含むネイル用アップリケを付ける工程と、
前記爪に前記ネイル用アップリケを付けた後で、前記ネイルエナメルを十分に乾かす工程と、
前記ネイル用アップリケの余分な部分を取り除く工程と、
前記ネイル用アップリケ上にＵＶジェルを施す工程と、
ＵＶライトを用いて、前記ＵＶジェルを硬化する工程と、
を含んでおり、前記ＵＶジェルは、硬化すると透明又は半透明となる方法。
【請求項２】
前記ＵＶジェル及び前記ネイル用アップリケを、せん断器によってせん断する工程を更に含む、請求項１に記載の方法。
【請求項３】
前記ネイル用アップリケは、前記爪と略同一平面上にて、前記爪の先端を超えて延出し、前記ＵＶジェルは、前記爪に付されて、そこから延出している前記ネイル用アップリケのほぼ全面に塗布される、請求項１に記載の方法。
【請求項４】
前記ネイル用アップリケと前記ＵＶジェル層の先端とを、せん断器によってせん断する工程、を更に含む請求項３に記載の方法。
【請求項５】
爪を装飾する方法において、
不完全に乾いたネイルエナメルを含むネイル用アップリケを前記爪に施す工程と、
前記爪に、ネイル先端用アップリケを付ける工程であって、前記ネイル先端用アップリケは曲がった端部を有しており、前記曲がった端部は、前記爪の先端にほぼ一致する形状を有しており、前記曲がった端部が前記爪の先端に付けられて、前記ネイル先端用アップリケの残部は、前記爪の先端を超えて延出する工程と、
前記爪に前記アップリケを付けた後で、前記ネイル用アップリケの前記ネイルエナメルを完全に乾かす工程と、
前記ネイル用アップリケ及び前記ネイル先端用アップリケの少なくとも１つの上にＵＶジェルを塗布する工程と、
前記ＵＶジェルをＵＶライトで硬化する工程と、
を含んでおり、前記ＵＶジェルは、硬化すると透明又は半透明になる方法。
【請求項６】
前記ネイル用アップリケは第１の色を有し、前記ネイル先端用アップリケは第２の色を有する、請求項５に記載の方法。
【請求項７】
前記ネイル先端用アップリケは、不完全に硬化したネイルエナメルを含む、請求項５に記載の方法。
【請求項８】
前記アップリケと前記ＵＶジェルの先端を、せん断器でせん断する工程を更に含む、請求項５に記載の方法。
【請求項９】
前記ネイル用アップリケは、接着層と、前記接着層上に配置される少なくとも１つのネイルエナメル層とを含んでおり、前記少なくとも１つのネイルエナメル層は、前記不完全に乾いたネイルエナメルで形成される、請求項１に記載の方法。
【請求項１０】
前記少なくとも１つのネイルエナメル層は、軸上にて対向する一対の端部と、前記軸上にて対向する一対の端部の一方から、前記軸上にて対向する一対の端部の他方に連続して延びる滑らかな上部表面とを有する、請求項９に記載の方法。
【請求項１１】
前記ネイル用アップリケ上に前記ＵＶジェルを塗布する工程が実施されるよりも少なくとも前に、前記少なくとも１つのネイルエナメル層の上面が、全体的に曝される、請求項１０に記載の方法。
【請求項１２】
前記少なくとも１つのネイルエナメル層は、不完全に乾いた複数のネイルエナメル層を含む、請求項９に記載の方法。
【請求項１３】
前記ネイル用アップリケは、前記爪と前記ＵＶジェルとの間に配置され、その間で緩衝材となる、請求項１に記載の方法。
【請求項１４】
従来の除光液を用いて前記爪から前記ＵＶジェルを取り除くことができるように、前記ＵＶジェルは、前記ネイル用アップリケの上で硬化する、請求項１に記載の方法。
【請求項１５】
前記ＵＶジェルは、前記ネイル用アップリケのほぼ全面に塗布される、請求項１に記載の方法。
【請求項１６】
前記ネイル用アップリケの前記余分な部分は、前記爪の端部を超えて延出し、前記取り除き工程を実施する間にせん断器を用いて取り除かれる、請求項１に記載の方法。
【請求項１７】
前記ネイル用アップリケは、接着層と、前記接着層上に配置される少なくとも１つのネイルエナメル層とを含んでおり、前記少なくとも１つのネイルエナメル層は、前記不完全に乾いたネイルエナメルで形成される、請求項５に記載の方法。
【請求項１８】
前記少なくとも１つのネイルエナメル層は、軸上にて対向する一対の端部と、前記軸上にて対向する一対の端部の一方から、前記軸上にて対向する一対の端部の他方に連続して延びる滑らかな上部表面とを有する、請求項１７に記載の方法。
【請求項１９】
前記ネイル用アップリケを前記爪に付ける工程が実施されるよりも少なくとも前に、前記少なくとも１つのネイルエナメル層の上面が、全体的に曝される、請求項１８に記載の方法。
【国際調査報告】
2013541403.tif 000009